(57)【要約】【課題】部品構成の増加を抑えながら、加湿トレーの有無を直接検知することを可能とする加湿装置を提供することを目的とする。【解決手段】加湿トレー８に貯められた水の水位によって浮動するフロート部１１と本体ケース３のフロート部１１に対向した部分には、磁界を検知する磁気検知手段Ａ１３および磁気検知手段Ｂ１４を備え、磁気検知手段Ａ１３は、加湿トレー８に所定の水位以上に水が貯められた場合にフロート部１１が出す磁界を検知できる位置に配し、磁気検知手段Ｂ１４は、加湿トレー８に水が無い場合にフロート部１１が出す磁界を検知でき、かつ、磁気検知手段Ａ１３の検知範囲の一部と磁気検知手段Ｂ１４の検知範囲の一部とが重なるように配置され、制御部７には、磁気検知手段Ａ１３および磁気検知手段Ｂ１４の検知結果を用いて、加湿トレーの有無を判断する加湿トレー有無判断部１９を備えることにより、所期の目的を達成する。【選択図】図３
2015183981.tif 000002
【特許請求の範囲】
【請求項１】
吸気口と排気口とを有する本体ケースと、
この本体ケース内に設けた前記吸気口と前記排気口を連通する送風路と、
この送風路に設けた送風手段と、
前記送風路を通過する空気を加湿する加湿手段を有した加湿装置であって、
この加湿装置の運転を制御する制御部を設け、
前記加湿手段は、
本体ケースから着脱可能に設けられ、水を貯める加湿トレーと、
この加湿トレーに貯めたれた水に一部が浸漬した加湿部と、
磁石を内蔵し、前記加湿トレーに貯められた水の水位によって浮動するフロート部とを有し、
前記本体ケースの前記フロート部に対向した部分には、磁界を検知する磁気検知手段Ａおよび磁気検知手段Ｂを備え、
前記磁気検知手段Ａは、前記加湿トレーに所定の水位以上に水が貯められた場合に前記フロート部が出す磁界を検知できる位置に配し、
前記磁気検知手段Ｂは、前記加湿トレーに水が無い場合に前記フロートが出す磁界を検知でき、かつ、前記磁気検知手段Ａの検知範囲の一部と前記磁気検知手段Ｂの検知範囲の一部とが重なるように配置され、
前記制御部には、前記磁気検知手段Ａおよび前記磁気検知手段Ｂの検知結果を用いて、前記加湿トレーの有無を判断する加湿トレー有無判断部を備えていることを特徴とする加湿装置。
【請求項２】
前記磁気検知手段Ｂを前記磁気検知手段Ａよりも下方に設けたことを特徴とする請求項１記載の加湿装置。
【請求項３】
前記磁気検知手段Ａと前記磁気検知手段Ｂを同一基板上に配することを特徴とする請求項１または２記載の加湿装置。
【請求項４】
前記加湿トレー有無判断部は、前記磁気検知手段Ａおよび前記磁気検知手段Ｂの検知結果が両方オフになったときに、前記加湿トレーは本体ケースから外されていると判断する請求項１から３のいずれかに記載の加湿装置。
【請求項５】
前記加湿トレー有無判断部が、前記加湿トレーは本体ケースから外されていると判断した場合に、機器の運転を行わないことを特徴とする請求項４記載の加湿装置。
【請求項６】
前記加湿トレー有無判断部が、前記加湿トレーは本体ケースから外されていると判断した場合に、前記加湿トレーが本体ケースから外されていることを報知する報知手段Ａを備えたことを特徴とする請求項４または５記載の加湿装置。
【請求項７】
前記加湿トレー有無判断部は、前記磁気検知手段Ａの検知結果がオフ、前記磁気検知手段Ｂの検知結果がオンの場合には、前記加湿トレーに水が無いと判断する請求項１から６のいずれかに記載の加湿装置。
【請求項８】
前記加湿トレー有無判断部が、前記加湿トレーに水が無いと判断した場合に、前記加湿トレーに水が無いことを報知する報知手段Ｂを備えたことを特徴とする請求項７に記載の加湿装置。
【請求項９】
前記報知手段Ａが前記報知手段Ｂよりも優先して報知することを特徴とする請求項８に記載の加湿装置。
【発明の詳細な説明】
【技術分野】
【０００１】
本発明は、加湿装置の加湿トレーの有無を検知する方法に関する。
【背景技術】
【０００２】
従来、この種に関する加湿装置は、運転指示を受信した時からの時間と水位検知手段の検知結果とから、加湿トレーの有無を推測する加湿装置が知られている（例えば、特許文献１参照）。
【０００３】
以下、その加湿装置について説明する。
【０００４】
この加湿装置は、加湿トレーと加湿トレー内の水位により浮動する磁石内蔵のフロート部と前記磁石の磁界を検知できる検知素子とを備えている。そして、加湿運転開始信号を受信してから前記検知素子が非検知である時間により、加湿トレー内の水が無いのか加湿トレーが無いのかを判断する。
【０００５】
例えば、加湿運転開始信号を受信してから２秒以上前記検知素子からの信号が非検知である場合、加湿トレーが無いと判断する。加湿トレーが無いと判断した状態から、さらに２０秒以上前記検知素子の信号が非検知である場合に、加湿トレーの有無に関係なく水が無いと判断する。
【先行技術文献】
【特許文献】
【０００６】
【特許文献１】特開２０１２−２６６６７号公報
【発明の概要】
【発明が解決しようとする課題】
【０００７】
このような従来の加湿装置では、加湿トレーが無いのと加湿トレー内の水が無いのは検知素子としては同じ状態（磁界を非検知）であるため、加湿トレーの有無を直接判断しているのではなく、簡易的に加湿トレーの有無を推測している。すなわち、加湿トレーが無い状態は、使用者が目視などで確認でき、使用者は、加湿運転開始の操作をしたら加湿トレーを装着することを想定している。そのため、使用者が気づかずに、加湿トレーが無い状態で加湿運転を行った場合、トレーが無いにもかかわらず、加湿装置側では、水が無いと判断してしまうという課題を有していた。
【０００８】
また、上記課題を解決するために加湿トレーの有無を判断するためだけに磁石とそれを検知する検知素子を用いる方法が考えられるが、部品構成が増えてしまうため、複雑かつ高価になってしまうという課題を有していた。
【０００９】
そこで本発明は、上記従来の課題を解決するものであり、部品構成の増加を抑えながら、加湿トレーの有無を直接検知することを可能とする加湿装置を提供することを目的とする。
【課題を解決するための手段】
【００１０】
そして、この目的を達成するために、本発明は、
吸気口と排気口とを有する本体ケースと、
この本体ケース内に設けた前記吸気口と前記排気口を連通する送風路と、
この送風路に設けた送風手段と、
前記送風路を通過する空気を加湿する加湿手段を有した加湿装置であって、
この加湿装置の運転を制御する制御部を設け、
前記加湿手段は、
本体ケースから着脱可能に設けられ、水を貯める加湿トレーと、
この加湿トレーに貯めたれた水に一部が浸漬した加湿部と、
磁石を内蔵し、前記加湿トレーに貯められた水の水位によって浮動するフロート部とを有し、
前記本体ケースの前記フロート部に対向した部分には、磁界を検知する磁気検知手段Ａおよび磁気検知手段Ｂを備え、
前記磁気検知手段Ａは、前記加湿トレーに所定の水位以上に水が貯められた場合に前記フロート部が出す磁界を検知できる位置に配し、
前記磁気検知手段Ｂは、前記加湿トレーに水が無い場合に前記フロートが出す磁界を検知でき、かつ、前記磁気検知手段Ａの検知範囲の一部と前記磁気検知手段Ｂの検知範囲の一部とが重なるように配置され、
前記制御部には、前記磁気検知手段Ａおよび前記磁気検知手段Ｂの検知結果を用いて、前記加湿トレーの有無を判断する加湿トレー有無判断部を備えていることを特徴としたものであり、これにより所期の目的を達成するものである。
【発明の効果】
【００１１】
本発明によれば、
吸気口と排気口とを有する本体ケースと、この本体ケース内に設けた前記吸気口と前記排気口を連通する送風路と、この送風路に設けた送風手段と、前記送風路を通過する空気を加湿する加湿手段を有した加湿装置であって、
この加湿装置の運転を制御する制御部を設け、前記加湿手段は、本体ケースから着脱可能に設けられ、水を貯める加湿トレーと、この加湿トレーに貯めたれた水に一部が浸漬した加湿部と、磁石を内蔵し、前記加湿トレーに貯められた水の水位によって浮動するフロート部とを有し、
前記本体ケースの前記フロート部に対向した部分には、磁界を検知する磁気検知手段Ａおよび磁気検知手段Ｂを備え、前記磁気検知手段Ａは、前記加湿トレーに所定の水位以上に水が貯められた場合に前記フロート部が出す磁界を検知できる位置に配し、前記磁気検知手段Ｂは、前記加湿トレーに水が無い場合に前記フロートが出す磁界を検知でき、かつ、前記磁気検知手段Ａの検知範囲の一部と前記磁気検知手段Ｂの検知範囲の一部とが重なるように配置され、前記制御部には、前記磁気検知手段Ａおよび前記磁気検知手段Ｂの検知結果を用いて、前記加湿トレーの有無を判断する加湿トレー有無判断部を備えていることにより、加湿トレーは従来と同一構成であり部品の増加はなく、磁気検知手段が一つ増えるだけであるため、部品構成の増加を抑えながら、加湿トレーの有無を直接検知することを可能とするという効果を得る。
【図面の簡単な説明】
【００１２】
【図１】本発明の実施の形態１の加湿装置の図
【図２】同加湿装置の内部構成を示す概要図
【図３】同加湿装置のフロート部と磁気検知手段の配置図
【図４】同加湿装置の各磁気検知手段の検知範囲図
【図５】同加湿装置の制御部の動作を示すフローチャート
【発明を実施するための形態】
【００１３】
本発明の請求項１記載の加湿装置は、吸気口と排気口とを有する本体ケースと、この本体ケース内に設けた前記吸気口と前記排気口を連通する送風路と、この送風路に設けた送風手段と、前記送風路を通過する空気を加湿する加湿手段を有した加湿装置であって、
この加湿装置の運転を制御する制御部を設け、前記加湿手段は、本体ケースから着脱可能に設けられ、水を貯める加湿トレーと、この加湿トレーに貯めたれた水に一部が浸漬した加湿部と、磁石を内蔵し、前記加湿トレーに貯められた水の水位によって浮動するフロート部とを有し、前記本体ケースの前記フロート部に対向した部分には、磁界を検知する磁気検知手段Ａおよび磁気検知手段Ｂを備え、前記磁気検知手段Ａは、前記加湿トレーに所定の水位以上に水が貯められた場合に前記フロート部が出す磁界を検知できる位置に配し、前記磁気検知手段Ｂは、前記加湿トレーに水が無い場合に前記フロートが出す磁界を検知でき、かつ、前記磁気検知手段Ａの検知範囲の一部と前記磁気検知手段Ｂの検知範囲の一部とが重なるように配置され、前記制御部には、前記磁気検知手段Ａおよび前記磁気検知手段Ｂの検知結果を用いて、前記加湿トレーの有無を判断する加湿トレー有無判断部を備えているという構成を有する。
【００１４】
これにより、加湿トレーは従来と同一構成であり部品の増加はなく、磁気検知手段が一つ増えるだけであるため、部品構成の増加を抑えながら、加湿トレーの有無を直接検知することを可能とするという効果を奏する。
【００１５】
また、請求項２記載の加湿装置は、前記磁気検知手段Ｂを前記磁気検知手段Ａよりも下方に設けるという構成にしてもよい。これにより、磁気検知手段Ａと磁気検知手段Ｂを同じ種類の磁気検知手段を用いることができるため、量産効果により磁気検知手段そのもののコストを抑えることができるという効果を奏する。
【００１６】
また、請求項３記載の加湿装置は、前記磁気検知手段Ａと前記磁気検知手段Ｂを同一基板上に配するという構成にしてもよい。これにより、磁気検知手段Ｂのために単独で基板を準備する必要がないため、磁気検知手段を配する基板のコストを抑えることができるという効果を奏する。
【００１７】
また、請求項４記載の加湿装置は、前記加湿トレー有無判断部は、前記磁気検知手段Ａおよび前記磁気検知手段Ｂの検知結果が両方オフになったときに、前記加湿トレーは本体ケースから外されていると判断するという構成にしてもよい。これにより、加湿トレー有無判断部は、前記フロート部からの磁界を検知できない場合、前記フロート部が無い、すなわち前記加湿トレーが無いと判断するため、前記加湿トレーの有無を直接検知することができるという効果を奏する。
【００１８】
また、請求項５記載の加湿装置は、前記加湿トレー有無判断部が、前記加湿トレーは本体ケースから外されていると判断した場合に、機器の運転を行わないという構成にしてもよい。これにより、使用者が意図せず加湿トレーを外した場合であっても加湿トレーの有無を検知することができるため、加湿トレーが無いような不正規の状態で機器を動作させないことができるという効果を奏する。
【００１９】
また、請求項６記載の加湿装置は、前記加湿トレー有無判断部が、前記加湿トレーは本体ケースから外されていると判断した場合に、前記加湿トレーが本体ケースから外されていることを報知する報知手段Ａを備えるという構成にしてもよい。これにより、使用者に加湿トレーが無いことを知らせることとなるため、加湿トレーが無いような不正規の状態で機器を動作させることを抑制するという効果を奏する。
【００２０】
また、請求項７記載の加湿装置は、前記加湿トレー有無判断部は、前記磁気検知手段Ａの検知結果がオフ、前記磁気検知手段Ｂの検知結果がオンの場合には、前記加湿トレーに水が無いと判断するという構成にしてもよい。これにより、加湿トレーは装着されているが、加湿トレーに水が無いことを検知することができるため、加湿トレーに水が無いのか加湿トレーが装着されていないのかの判断を間違えることがないという効果を奏する。
【００２１】
また、請求項８記載の加湿装置は、前記加湿トレー有無判断部が、前記加湿トレーに水が無いと判断した場合に、前記加湿トレーに水が無いことを報知する報知手段Ｂを備えるという構成にしてもよい。これにより、使用者に加湿トレーに水が無いことを知らせることとなるため、使用者は加湿トレーに水が無いことを知ることができるという効果を奏する。
【００２２】
また、請求項９記載の加湿装置は、前記報知手段Ａが前記報知手段Ｂよりも優先して報知するという構成にしてもよい。これにより、使用者に加湿トレーに水が無いのではなく、加湿トレーが装着されていないことを知らせることとなるため、使用者は加湿トレーに水が無いのではなく、加湿トレーが装着されていないことを知ることができるという効果を奏する。
【００２３】
以下、本発明の実施の形態について図面を参照しながら説明する。
【００２４】
（実施の形態１）
図１，図２に示すように、本実施の形態による加湿装置は、吸気口１と排気口２とを有する本体ケース３内に、送風路４と、送風手段５としてのファンモータと、加湿手段６と、給水タンク１２と、制御部７を備えている。送風路４は、本体ケース３に設けた吸気口１と排気口２とを連通する。送風手段５は、送風路４内に設けられている。加湿手段６は、送風路４を通過する空気を加湿する。給水タンク１２は、加湿手段６へ水を供給する。そして、制御部７は、この加湿装置の運転を制御するものである。
【００２５】
加湿手段６は、本体ケース３から着脱可能に設けられている。また、加湿手段６は、給水タンク１２から供給される水を貯める加湿トレー８と、加湿トレー８に貯められた水に一部が浸漬した加湿部９としての加湿フィルターと、磁石１０を内蔵し、加湿トレー８に貯められた水の水位によって浮動するフロート部１１とを有している。
【００２６】
図３に示すように、フロート部１１は、軸２０を介して加湿トレー８と回動可能につながっている。本体ケース３のフロート部１１に対向した部分には、磁気検知手段Ａ１３および磁気検知手段Ｂ１４を基板１５に実装して配置している。磁気検知手段Ａ１３および磁気検知手段Ｂ１４として、磁気抵抗素子やホール素子のようなものを用いる。
【００２７】
図４を用いて、加湿トレー８の水位と磁気検知手段Ａ１３および磁気検知手段Ｂ１４の検知範囲を示す。加湿トレー８の水位１６ａは、給水タンク１２からの給水が完了した水位であり、水位１６ｂは、加湿運転による加湿により水位１６ａから減っていき、給水タンク１２から給水が開始される直前の水位である。給水タンク１２に水が残っている間は加湿トレー８の水位は水位１６ａと水位１６ｂの間を繰り返し行き来する。給水タンク１２に水がなくなった場合には、水位１６ｂよりも下がっていくこととなる。水位１６ｃは、磁気検知手段Ａ１３がフロート部１１の磁界を検知できなくなる水位である。水位１６ｄは、磁気検知手段Ｂ１４がフロート部１１の磁界を検知できるようになる水位である。
【００２８】
磁気検知手段Ａ１３は、検知範囲が範囲１７、すなわち、水位１６ａと水位１６ｃの間を検知できるように配する。つまり、水位１６ａでのフロート部１１の磁界を検出でき、かつ、さらに水位１６ｂおよび水位１６ｄよりも下の水位１６ｃまでフロート部１１の磁界を検知できるように配置する。また、磁気検知手段Ｂ１４は、検知範囲が範囲１８、すなわち、水位１６ｄよりも下方を検知できるように配する。つまり、水が無い状態も含めて水位１６ｄよりも下の水位でのフロート部１１の磁界を検知できるように配置する。
【００２９】
また、制御部７には、磁気検知手段Ａ１３および磁気検知手段Ｂ１４の検知結果を用いて、加湿トレー８の有無を判断する加湿トレー有無判断部１９を備えている。
【００３０】
また、制御部７には、「加湿トレー８は本体ケース３から外されている」と加湿トレー有無判断部１９が判断した場合に報知する報知手段Ａ２１としてのＬＥＤを備えている。
【００３１】
また、制御部７には、「加湿トレー８には水が無い」と加湿トレー有無判断部１９が判断した場合に報知する報知手段Ｂ２２としてのＬＥＤを備えている。
【００３２】
次に、図５を用いて加湿トレー有無判断部１９の動作について説明をする。
【００３３】
第１のステップ（Ｓ１）は、磁気検知手段Ａ１３がフロート部１１の磁界を検知している（オン）かどうかを判断するものであり、磁気検知手段Ａ１３がオンであれば、加湿トレー８に水があることになる。
【００３４】
第２のステップ（Ｓ２）は、磁気検知手段Ｂ１４がフロート部１１の磁界を検知している（オン）かどうかを判断するものである。磁気検知手段Ｂ１４がオンであれば、Ｓ１で磁気検知手段Ａ１３がフロート部１１の磁界を検知していない（オフ）という検知結果と合わせて、加湿トレー８に水がないと判断することになる。
【００３５】
一方、磁気検知手段Ｂ１４がフロート部１１の磁界を検知していない（オフ）であれば、Ｓ１における磁気検知手段Ａ１３がフロート部１１の磁界を検知していない（オフ）という検知結果と合わせて、加湿トレー８が本体ケース３から外されていると判断することになる。
【００３６】
第３のステップ（Ｓ３）およびは第４のステップ（Ｓ４）は、本加湿装置が運転中に、Ｓ１において、加湿トレー８に水がないと判断したときには、本加湿装置を停止するものである。
【００３７】
第５のステップ（Ｓ５）およびは第６のステップ（Ｓ６）は、報知手段Ａ２１が報知中（すなわち、加湿トレー８無し）であれば、報知手段Ａ２１の報知を停止するものである。
【００３８】
第７のステップ（Ｓ７）は、報知手段Ｂ２２にて報知するものであり、加湿トレー８に水が無いことを使用者に報知することとなる。
【００３９】
第８のステップ（Ｓ８）およびは第９のステップ（Ｓ９）は、本加湿機が運転中であれば、本加湿機を停止するものである。
【００４０】
第１０のステップ（Ｓ１０）およびは第１１のステップ（Ｓ１１）は、報知手段Ｂ２２が報知中（すなわち、加湿トレー８に水が無い）であれば、報知手段Ｂ２２の報知を停止するものである。
【００４１】
第１２のステップ（Ｓ１２）は、報知手段Ａ２１にて報知するものであり、加湿トレー８が本体ケース３に装着されていないことを使用者に報知することとなる。
【００４２】
第１３のステップ（Ｓ１３）は、報知手段Ａ２１が報知中かどうかを判断するものである。
【００４３】
第１４のステップ（Ｓ１４）は、報知手段Ａ２１の報知を停止するものである。
【００４４】
第１５のステップ（Ｓ１５）は、報知手段Ｂ２２が報知中かどうかを判断するものである。
【００４５】
第１６のステップ（Ｓ１６）は、報知手段Ｂ２２の報知を停止するものである。
【００４６】
上記構成により、磁気検知手段Ｂ１４を磁気検知手段Ａ１３の下方に設けたことにより、加湿トレー８に設けられたフロート部１１が下がった状態、すなわち、加湿トレー８内に水か無い状態を検知することができる。
【００４７】
また、磁気検知手段Ａ１３と磁気検知手段Ｂ１４の検知範囲が重なるように設けたので、加湿トレー８内の水位が下がってきた場合に、磁気検知手段Ａ１３と磁気検知手段Ｂ１４ともに非検知状態となることがなくなる。すなわち、加湿トレー８が装着された状態では、必ず磁気検知手段Ａ１３、磁気検知手段Ｂ１４どちらかが検知状態となる。従って、加湿トレー８内に水が無い状態か加湿トレー８が無い状態かを確実に判別することができる。
【００４８】
また、加湿トレー８を外した状態では、磁気検知手段Ａ１３と磁気検知手段Ｂ１４ともに非検知状態となるので、加湿トレー８の有無を直接検知することを可能となる。
【００４９】
なお、実施の形態１において、磁気検知手段Ｂ１４を磁気検知手段Ａ１３の下方に設けているが、磁気検知手段Ａ１３が検知する範囲１７および磁気検知手段Ｂ１４が検知する範囲１８を満たせば、下方でなくてもよい。すなわち、磁気検知手段Ｂ１４が磁気検知手段Ａ１３の検知下限よりも下方の領域を検知するようになっていればよい。
【００５０】
なお、実施の形態１において、磁気検知手段Ａ１３および磁気検知手段Ｂ１４を同一の基板１５に実装したが、それぞれ別々の基板に実装してもよい。
【００５１】
なお、実施の形態１において、報知手段Ａ２１および報知手段Ｂ２２をＬＥＤとしたが、ブザーやブザーとＬＥＤの組み合わせであってもよい。
【００５２】
なお、実施の形態１において、「Ｓ３およびＳ４は、本加湿機装置が運転中であれば、Ｓ１において、加湿トレー８に水がないと判断したときには、本加湿装置機を停止する」としたが、加湿機能以外の機能として、空気清浄機能などを備えている場合は、運転を加湿運転としてもよい。
【産業上の利用可能性】
【００５３】
本発明にかかる加湿装置は、空気清浄機能付の加湿装置等に適用できる。
【符号の説明】
【００５４】
１  吸気口
２  排気口
３  本体ケース
４  送風路
５  送風手段
６  加湿手段
７  制御部
８  加湿トレー
９  加湿部
１０  磁石
１１  フロート部
１２  給水タンク
１３  磁気検知手段Ａ
１４  磁気検知手段Ｂ
１５  基板
１６  水位
１７  （磁気検知手段Ａ１３の検知する）範囲
１８  （磁気検知手段Ｂ１４の検知する）範囲
１９  加湿トレー有無判断部
２０  軸
２１  報知手段Ａ
２２  報知手段Ｂ
【図１】
2015183981.tif 000003
【図２】
2015183981.tif 000004
【図３】
2015183981.tif 000005
【図４】
2015183981.tif 000006
【図５】
2015183981.tif 000007